(57)【特許請求の範囲】
【請求項１】
離間して対向する表裏一対の板材を備えるドアであって、
少なくとも一方の上記板材に開口が形成され、
上記板材の開口に取り付けられる花差し部材をさらに備え、
この花差し部材が、上記開口に嵌め込まれる枠部と、一対の板材間に配設されると共に枠部から差し込まれた花を支持する支持部とを有することを特徴とするドア。
【請求項２】
上記支持部が、上記枠部から連続し、内方及び下方に伸びる請求項１に記載のドア。
【請求項３】
上記支持部が、少なくとも上記枠部の上辺から延出する内壁を有する請求項２に記載のドア。
【請求項４】
上記内壁が、下方に傾斜する傾斜部を有する請求項３に記載のドア。
【請求項５】
上記支持部が、筒状体である請求項２に記載のドア。
【請求項６】
上記一対の板材の双方に一対の上記開口が形成され、これら一対の開口に一対の上記花差し部材が取り付けられている請求項１から請求項５のいずれか１項に記載のドア。
【請求項７】
上記一対の開口が、平面視で上記一対の花差し部材で遮蔽されている請求項６に記載のドア。
【発明の詳細な説明】
【技術分野】
【０００１】
本発明は、ドア及びドア取り付け用花差し部材に関する。
【背景技術】
【０００２】
建物の玄関や部屋の出入口に配設されるドアは、例えば板状のドア本体とこのドア本体に設けられる取っ手とを有し、一の空間と他の空間とを区画可能に構成されている。また、このようなドアとしては、離間して対向配置される一対の板材と、これら一対の板材の内面に固定され、枠部及びこの枠部の内部に架け渡される複数の桟を有する中骨とを備えるフラッシュドアも存在している。
【０００３】
このようなドアは、一の空間と他の空間との出入口として設けられるものであるため、室内を彩るための装飾品やその他の載置物等をこのドアの前後に置くと出入りの妨げとなる。このような点から、今日では、例えばドアの表面に貼り紙を貼ったり、ドアの取っ手から装飾品を吊り下げたりすることによって一定の装飾効果を挙げる試みがなされることがある。しかしながら、このような方法によって装飾できる物は限られており、例えばドアの表面に花を飾ることは困難である。
【０００４】
この点、花を飾ることができる障子として、「障子の横組子」（特開２０１２−１４４８５２号公報参照）が発案されている。この公報所載の障子の横組子は、表面側に突出する載置部を備え、この載置部が上面から下面に貫通する孔を有している。この障子の横組子は、この孔に花器を挿入し、さらにこの花器に花を挿すことで障子の表面側に花を飾ることができるとされている。
【０００５】
しかしながら、この障子の横組子は、載置部が表面側に突出しているため、この載置部が障子の開け閉めの障害となるおそれが高い。そのため、この障子の横組子は、最表面側のレールに取り付けられる障子以外には取り付け難い。また、この障子の横組子は、表面側に突出される載置部に花器が挿入されるので、この載置部が花器の重みによって折れ曲がったり破損したりするおそれがある。さらに、この障子の横組子によると、花は通常上向きに保持されるが、この障子の横組子の裏面側には障子紙が貼られているため、この障子の横組子に保持される花を上側から観賞するには困難を伴う。
【先行技術文献】
【特許文献】
【０００６】
【特許文献１】特開２０１２−１４４８５２号公報
【発明の概要】
【発明が解決しようとする課題】
【０００７】
本発明は、このような事情に鑑みてなされたものであり、ドアの開閉の妨げとなり難く、破損のおそれも低いと共に、花を見栄えよく飾ることができるドア取り付け用花差し部材を備えるドア及びドア取り付け用花差し部材の提供を目的とするものである。
【課題を解決するための手段】
【０００８】
上記課題を解決するためになされた本発明に係るドアは、離間して対向する表裏一対の板材を備えるドアであって、少なくとも一方の上記板材に開口が形成され、上記板材の開口に取り付けられる花差し部材をさらに備え、この花差し部材が、上記開口に嵌め込まれる枠部と、一対の板材間に配設されると共に枠部から差し込まれた花を支持する支持部とを有することを特徴とする。
【０００９】
当該ドアは、花差し部材が、開口に嵌め込まれる枠部と、一対の板材間に配設されると共に枠部から差し込まれた花を支持する支持部とを有するので、枠部に茎側から花を挿入することで枠部の表面側に花弁側が表出した状態で花を飾ることができる。当該ドアは、上記花差し部材が、一対の板材間に配設され枠部から差し込まれた花を支持する支持部を有するので、この支持部によって花を裏面側から支持しつつ花を保持することができる。当該ドアは、このように支持部によって裏面側を支持しつつ枠部の表面側から花弁側が表出するように花を保持することができるので、花弁を表面側に向けて保持しやすい。そのため、当該ドアは、花弁を視認者側に向けて見栄えよく飾ることができる。また、当該ドアは、上記花差し部材がドアの内部に嵌め込まれるので、上記花差し部材によって開閉作業が妨げられ難い。さらに、当該ドアは、上記花差し部材がドアの内部に嵌め込まれるので、この花差し部材が破損するおそれも低い。
【００１０】
上記支持部が、上記枠部から連続し内方及び下方に伸びるとよい。このように、上記支持部が上記枠部から連続すると共に内方及び下方に伸びることによって、支持部によって花の裏面側を的確に支持することができ、花をさらに見栄えよく飾ることができる。また、かかる構成によると、花の挿入及び取り出し作業を容易かつ確実に行うことができる。
【００１１】
上記支持部が、上記枠部から連続し内方及び下方に伸びると共に、少なくとも上記枠部の上辺から延出する内壁を有するとよい。このように、上記支持部が上記枠部の上辺から延出する内壁を有することによって、この内壁に花の茎部分を当接させてこの当接部分を枠部の表面側に湾曲させることができ、花をさらに見栄えよく飾ることができる。
【００１２】
上記内壁が下方に傾斜する傾斜部を有するとよい。このように、上記内壁が下方に傾斜する傾斜部を有することによって、この傾斜部に花の茎部分を当接させ、この当接部分から枠部にかけての茎部分を表面側に緩やかに湾曲させることができる。これにより、花の茎部分の折れ等を防止しつつ、花を見栄えよく飾ることができる。
【００１３】
上記支持部が筒状体であるとよい。このように、上記支持部が筒状体であることによって、花の挿入及び取り出し作業を容易かつ確実に行うことができる。また、かかる構成によると、ドアの開閉時の揺れ等にかかわらず花を安定的に保持することができる。なお、「筒状体」とは、円筒状に限られるものではなく、断面が矩形、多角形、楕円形等の中空体を含む。
【００１４】
上記一対の板材の双方に一対の上記開口が形成され、これら一対の開口に一対の上記花差し部材が取り付けられているとよい。このように、上記一対の板材の双方に一対の上記開口が形成され、これら一対の開口に一対の上記花差し部材が取り付けられていることによって、ドアの両面側に花を見栄えよく飾ることができる。
【００１５】
上記一対の開口が平面視で上記一対の花差し部材で遮蔽されているとよい。このように、上記一対の開口が平面視で上記一対の花差し部材で遮蔽されていることにより、ドアの表裏を的確に遮蔽しつつこのドアの表裏面の対応する位置に花を見栄えよく飾ることができる。なお、「平面視」とは、ドアの板材の表面に対して垂直方向から見た状態をいう。
【発明の効果】
【００１８】
以上説明したように、本発明に係るドアは、開閉作業をスムーズに行うことができ、破損のおそれが低いと共に、花を見栄えよく飾ることができる。また、本発明に係るドア取り付け用花差し部材は、開閉の妨げとなり難く、破損のおそれが低いと共に、花を見栄えよく飾ることができる。
【図面の簡単な説明】
【００１９】
【図１】本発明の第一実施形態に係るドア取り付け用花差し部材を示す模式図であって、（ａ）は模式的側面図、（ｂ）は模式的平面図である。
【図２】図１のドア取り付け用花差し部材のＡ−Ａ線断面図である。
【図３】図１のドア取り付け用花差し部材を取り付けたドアを示す模式的断面図である。
【図４】図３のドアに花を差した状態を示す模式的断面図である。
【図５】図１のドア取り付け用花差し部材とは異なる実施形態に係るドア取り付け用花差し部材を示す模式図であって、（ａ）は模式的側面図、（ｂ）は模式的平面図である。
【図６】図５のドア取り付け用花差し部材のＢ−Ｂ線断面図である。
【図７】図１及び図５のドア取り付け用花差し部材とは異なる実施形態に係るドア取り付け用花差し部材を示す模式図であって、（ａ）は模式的側面図、（ｂ）は模式的平面図である。
【図８】図１、図５及び図７のドア取り付け用花差し部材とは異なる実施形態に係るドア取り付け用花差し部材を示す模式的側面図である。
【図９】図８のドア取り付け用花差し部材を示す模式的断面図である。
【図１０】図８のドア取り付け用花差し部材を取り付けたドアに花を差した状態を示す模式的断面図である。
【発明を実施するための形態】
【００２０】
以下、適宜図面を参照しつつ、本発明の実施の形態を詳説する。
【００２１】
［第一実施形態］
＜ドア取り付け用花差し部材＞
図１及び図２のドア取り付け用花差し部材１は、離間して対向する一対の板材を備えるドアの一方の板材に形成される開口に取り付けられる。図１及び図２のドア取り付け用花差し部材１は、ドアの板材に形成される開口に嵌め込み可能な枠部２と、枠部２から差し込まれた花を支持する支持部３とを有する。また、ドア取り付け用花差し部材１は、ドアの開口に取り付け可能な上下一対の取付部４、５を有する。なお、本明細書における「上」とは、ドアを表面から見た場合の上を意味し、ドアに取り付けられる前の状態においてはドアに取り付けられた場合の上を意味する。また、「下」とは、ドアを表面から見た場合の下を意味し、ドアに取り付けられる前の状態においてはドアに取り付けられた場合の下を意味する。
【００２２】
枠部２は、一定の厚みを有する平板状に形成され、内部に開口を有する。枠部２の内縁及び外縁の形状は特に限定されず、円形、楕円形、多角形等が挙げられ、本実施形態では内縁及び外縁の形状は共に四角形とされている。
【００２３】
枠部２の形成材料としては、形状を維持できる程度の剛性を有する限り特に限定されず、例えばポリエチレン、ポリエステル、ポリカーボネート等の合成樹脂、鉄、銅、真鍮、アルミニウム、ステンレス等の金属、木材等が挙げられる。中でも、枠部２の形成材料としては、機械的強度、成形性、耐食性等に優れるステンレスが好ましい。
【００２４】
枠部２の内縁の幅の下限としては、１ｃｍが好ましく、１．５ｃｍがより好ましく、１．７ｃｍがさらに好ましい。一方、枠部２の内縁の幅の上限としては、１０ｃｍが好ましく、５ｃｍがより好ましく、３ｃｍがさらに好ましい。枠部２の内縁の幅が上記下限未満の場合、枠部２に花を挿入するのが困難になるおそれがある。逆に、枠部２の内縁の幅が上記上限を超える場合、枠部２が不必要に大きくなるおそれがあると共に、枠部に挿入される花がドアの開閉時等の振動によってガタつくおそれが高くなる。なお、「幅」とは、円形又は楕円形の場合は水平方向の径を意味する。
【００２５】
枠部２の内縁の上下方向長さの下限としては、１ｃｍが好ましく、２ｃｍがより好ましく、４ｃｍがさらに好ましい。一方、枠部２の内縁の上下方向長さの上限としては、１０ｃｍが好ましく、８ｃｍがより好ましく、６ｃｍがさらに好ましい。枠部２の内縁の上下方向長さが上記下限未満の場合、枠部２に花を挿入するのが困難になるおそれがある。逆に、枠部２の内縁の上下方向長さが上記上限を超える場合、枠部２が不必要に大きくなるおそれがある。なお、「上下方向長さ」とは、円形又は楕円形の場合は上下方向の径を意味する。
【００２６】
枠部２の外縁の幅の下限としては、１．５ｃｍが好ましく、２．５ｃｍがより好ましく、５ｃｍがさらに好ましい。一方、枠部２の外縁の幅の上限としては１２ｃｍが好ましく、７ｃｍがより好ましく、５ｃｍがさらに好ましい。枠部２の外縁の幅が上記下限未満の場合、枠部２内に花を挿入するのが困難になるおそれがある。逆に、枠部２の外縁の幅が上記上限を超える場合、枠部２が不必要に大きくなるおそれがある。
【００２７】
枠部２の外縁の上下方向長さの下限としては、１．５ｃｍが好ましく、３ｃｍがより好ましく、５ｃｍがさらに好ましい。一方、枠部２の外縁の上下方向長さの上限としては、１２ｃｍが好ましく、１０ｃｍがより好ましく、８ｃｍがさらに好ましい。枠部２の外縁の上下方向長さが上記下限未満の場合、枠部２に花を挿入するのが困難になるおそれがある。逆に、枠部２の外縁の上下方向長さが上記上限を超える場合、枠部２が不必要に大きくなるおそれがある。
【００２８】
枠部２の内縁及び外縁間の平均幅の下限としては、２．５ｍｍが好ましく、４ｍｍがより好ましく、５ｍｍがさらに好ましい。一方、枠部２の内縁及び外縁間の平均幅の上限としては、２ｃｍが好ましく、１．５ｃｍがより好ましく、１ｃｍがさらに好ましい。枠部２の内縁及び外縁間の平均幅が上記下限未満の場合、ドアの板材に形成される開口に枠部２を的確に取り付けるのが困難になるおそれがある。逆に、枠部２の内縁及び外縁間の平均幅が上記上限を超える場合、枠部２が不必要に大きくなるおそれがある。
【００２９】
支持部３は、枠部２から連続し、内方及び下方に伸びる。詳細には、支持部３は、枠部２の上辺から延出する内壁６と、内壁６の側端と枠部２の側辺とに連結される一対の側壁７とを有する。また、内壁６は、枠部２の上辺から延出しかつ下方に傾斜する傾斜部８と、傾斜部８の下端に連接され、枠部２の裏面と平行に配設される裏面部９とを有する。内壁６は、平面視で枠部２の開口を遮蔽している。支持部３は、傾斜部８が下方に傾斜し、かつ裏面部９が枠部２の裏面と平行に配設されることで内方及び下方に伸びている。支持部３の形成材料としては、枠部２の形成材料と同様とすることができる。なお、「下方に傾斜」とは、枠部２の上辺から裏面側下方に傾斜していることをいう。
【００３０】
傾斜部８の傾斜角の下限としては、２０°が好ましく、２５°がより好ましく、３５°がさらに好ましい。一方、傾斜部８の傾斜角の上限としては、６０°が好ましく、５５°がより好ましく、５０°がさらに好ましい。傾斜部８の傾斜角が上記下限未満の場合、花の茎部分の湾曲が大きくなり過ぎてこの茎部分が折れるおそれがある。逆に、傾斜部８の傾斜角が上記上限を超える場合、花の茎部分を表面側に的確に湾曲させることができないおそれがある。なお、「傾斜角」とは、水平方向に対する角度を意味する。
【００３１】
平面視での枠部２内の上下方向長さＬに対する傾斜部８の上下方向長さＬ１の比の下限としては、１／５が好ましく、１／４がより好ましい。一方、平面視での枠部２内の上下方向長さＬに対する傾斜部８の上下方向長さＬ１の比の上限としては、４／５が好ましく、２／３がより好ましい。平面視での枠部２内の上下方向長さＬに対する傾斜部８の上下方向長さＬ１の比が上記下限未満の場合、花の茎部分を表面側に緩やかに湾曲させることが困難になるおそれがある。逆に、平面視での枠部２内の上下方向長さＬに対する傾斜部８の上下方向長さＬ１の比が上記上限を超える場合、枠部２から花を挿入するのが困難になるおそれがある。
【００３２】
一方の取付部４は、枠部２の裏面側の上辺に配設されている。一方の取付部４は、枠部２の裏面側の上辺から水平方向に設けられる水平部と、この水平部から上方に突起する垂直部とを有する。また、他方の取付部５は、枠部２の裏面側の下辺に配設されている。他方の取付部５は、枠部２の裏面側の下辺から水平方向に設けられる水平部と、この水平部から下方に突起する垂直部とを有する。一対の取付部４、５の形成材料としては、枠部２の形成材料と同様とすることができる。
【００３３】
＜ドア＞
続いて、図３を参照して、図１のドア取り付け用花差し部材１（以下、単に「花差し部材１」ともいう。）を備えるドア１１について説明する。
【００３４】
ドア１１は、離間して対向する表裏一対の板材１２、１３を有するフラッシュドアとして構成されている。一対の板材１２、１３のうち、一方の板材１２には開口が形成されている。ドア１１は、一対の板材１２、１３間に水平方向に架け渡される横板材１４を有する。
【００３５】
ドア１１は、一方の板材１２の開口に取り付けられる花差し部材１を備える。花差し部材１は、枠部２が一方の板材１２の開口に嵌め込まれることで一対の板材１２、１３間に配設されている。詳細には、花差し部材１は、枠部２と一方の取付部４の垂直部との間に一方の板材１２の開口の上端部を係止させ、続いて枠部２を徐々に垂直方向に傾斜させながら枠部２と他方の取付部５の垂直部との間に一方の板材１２の開口の下端部を嵌め込むことで一方の板材１２に固定される。
【００３６】
＜花の支持機構＞
次に、図４を参照して、図３のドア１１の枠部２に花を差した状態について説明する。まず、枠部２に茎側から花を挿入した場合、茎側の先端は裏面部９に当たって下方に湾曲され、横板材１４によって下方から支持される。この状態において、茎部の裏面は裏面部９によって支持されているが、傾斜部８が下方に傾斜しているので、傾斜部８と当接される部分がこの傾斜部８に沿って表面側に緩やかに湾曲される。その結果、枠部２から挿入された花は、花弁を表面側に向けた状態で保持される。
【００３７】
＜利点＞
当該ドア１１は、当該花差し部材１が、開口に嵌め込まれる枠部２と、一対の板材１２、１３間に配設されると共に枠部２から差し込まれた花を支持する支持部３とを有するので、枠部２に茎側から花を挿入することで枠部２の表面側に花弁側が表出した状態で花を飾ることができる。当該ドア１１は、当該花差し部材１が一対の板材１２、１３間に配設され枠部２から差し込まれた花を支持する支持部３を有するので、この支持部３によって花を裏面側から支持しつつ花を保持することができる。当該ドア１１は、このように支持部３によって裏面側を支持しつつ枠部２の表面側から花弁側が表出するように花を保持することができるので、花弁を表面側に向けやすい。そのため、当該ドア１１は、花弁を視認者側に向けて見栄えよく飾ることができる。また、当該ドア１１は、当該花差し部材１がドアの内部に嵌め込まれるので、当該花差し部材１によって開閉作業が妨げられ難い。さらに、当該ドア１１は、当該花差し部材１がドアの内部に嵌め込まれるので、当該花差し部材１が破損するおそれも低い。加えて、当該ドア１１は、開口の位置を調整することで、当該花差し部材１に挿入された花を視認者の目線に合わせて飾ることができる。
【００３８】
当該ドア１１は、支持部３が枠部２から連続すると共に内方及び下方に伸びるので、支持部３によって花の裏面側を的確に支持することができ、花をさらに見栄えよく飾ることができる。また、当該ドア１１は、かかる構成によると、花の挿入及び取り出し作業を容易かつ確実に行うことができる。
【００３９】
当該ドア１１は、支持部３が枠部２の上辺から延出する内壁６を有するので、この内壁６に花の茎部分を当接させてこの当接部分を枠部２の表面側に湾曲させることができ、花をさらに見栄えよく飾ることができる。
【００４０】
当該ドア１１は、内壁６が下方に傾斜する傾斜部８を有するので、この傾斜部８に花の茎部分を当接させ、この当接部分から枠部２にかけての茎部分を表面側に緩やかに湾曲させることができる。これにより、当該ドア１１は、花の茎部分の折れ等を防止しつつ、花を見栄えよく飾ることができる。
【００４１】
当該ドア取り付け用花差し部材１は、ドア１１の板材１２に形成される開口に嵌め込まれる枠部２とこの枠部２から差し込まれた花を支持する支持部３とを有するので、支持部３によって花を裏面側から支持しつつ、枠部２の表面側に花弁側が表出した状態で花を飾ることができる。当該ドア取り付け用花差し部材１は、支持部３の裏面部９によって花の裏面側を支持することで花弁を表面側に向けやすい。従って、当該ドア取り付け用花差し部材１は、花を見栄えよく飾ることができる。また、当該ドア取り付け用花差し部材１は、枠部２がドア１１の開口に嵌め込まれることで取り付けられるので、ドア１１の開閉作業の妨げとなり難い。さらに、当該ドア取り付け用花差し部材１は、ドア１１の内部に嵌め込まれるので破損するおそれも低い。
【００４２】
［第二実施形態］
＜ドア取り付け用花差し部材＞
図５及び図６のドア取り付け用花差し部材２１は、図１のドア取り付け用花差し部材１に代えて、離間して対向する一対の板材を備えるドアの一方の板材に形成される開口に取り付けられる。ドア取り付け用花差し部材２１は、ドアの板材に形成される開口に嵌め込み可能な枠部２２と、枠部２２から差し込まれた花を支持する支持部２３とを有する。また、ドア取り付け用花差し部材２１は、ドアの他方の板材の内面側に取り付け可能な取付部２４を有する。
【００４３】
枠部２２は、四隅が面取りされた平面視矩形状に形成され、内部に円形の開口を有する。また、枠部２２は、一定の厚みを有する平板状に形成されている。枠部２２の形成材料としては、図１のドア取り付け用花差し部材１の枠部２と同様とすることができる。また、枠部２２の内縁の径としては、図１のドア取り付け用花差し部材１の枠部２の内縁の幅と同様とすることができる。さらに、枠部２２の外縁の幅としては、図１のドア取り付け用花差し部材１の枠部２の外縁の幅と同様とすることができる。
【００４４】
枠部２２の外縁の上下方向長さの下限としては、８ｃｍが好ましく、１０ｃｍがより好ましく、１２ｃｍがさらに好ましい。一方、枠部２２の外縁の上下方向長さの上限としては、２５ｃｍが好ましく、２０ｃｍがより好ましく、１５ｃｍがさらに好ましい。枠部２２の外縁の上下方向長さが上記下限未満の場合、支持部２３によって支持される花の安定性が低下するおそれがある。逆に、枠部２２の外縁の上下方向長さが上記上限を超える場合、枠部２２が不必要に大きくなるおそれがある。
【００４５】
また、枠部２２の開口の下端から下方側への長さＬ２の下限としては、５ｃｍが好ましく、６ｃｍがより好ましく、７ｃｍがさらに好ましい。一方、枠部２２の開口の下端から下方側への長さＬ２の上限としては、２０ｃｍが好ましく、１５ｃｍがより好ましく、１２ｃｍがさらに好ましい。枠部２２の開口の下端から下方側への長さＬ２が上記下限未満の場合、支持部２３によって支持される花の安定性が低下するおそれがある。逆に、枠部２２の開口の下端から下方側への長さＬ２が上記上限を超える場合、枠部２２が不必要に大きくなるおそれがある。
【００４６】
支持部２３は、枠部２２から連続し、内方及び下方に伸びる。詳細には、支持部２３は、枠部２２の上辺から延出する内壁２５と、内壁２５の側端と枠部２２の側辺とに連結される一対の側壁２６と、内壁２５の下端、一対の側壁２６の下端及び枠部２２の下辺に連結される底壁２７とを有する。また、内壁２５は、枠部２２の上辺から水平方向に延出する上面部２８と、上面部２８の裏面側端縁に連接され、枠部２２の裏面と平行に配設される裏面部２９とを有する。内壁２５は、平面視で枠部２２の開口を遮蔽している。支持部２３は、上面部２８が水平方向に延出し、かつ裏面部２９が枠部２２の裏面と平行に配設されることによって内方及び下方に伸びている。支持部２３の形成材料としては、図１のドア取り付け用花差し部材１の枠部２と同様とすることができる。
【００４７】
支持部２３の上下方向長さの下限としては、６ｃｍが好ましく、８ｃｍがより好ましく、９ｃｍがさらに好ましい。一方、支持部２３の上下方向長さの上限としては、２０ｃｍが好ましく、１５ｃｍがより好ましく、１２ｃｍがさらに好ましい。支持部２３の上下方向長さが上記下限未満の場合、支持部２３によって支持される花の安定性が低下するおそれがある。逆に、支持部２３の上下方向長さが上記上限を超える場合、枠部２２が不必要に大きくなるおそれがあると共に、茎部分の長さの短い花を飾るのが困難になるおそれがある。
【００４８】
支持部２３の表裏方向長さの下限としては、０．５ｃｍが好ましく、０．８ｃｍがより好ましく、１．２ｃｍがさらに好ましい。一方、支持部２３の表裏方向長さの上限としては、２ｃｍが好ましく、１．８ｃｍがより好ましく、１．６ｃｍがさらに好ましい。支持部２３の表裏方向長さが上記下限未満の場合、花を差すのが困難になるおそれがある。逆に、支持部２３の表裏方向長さが上記上限を超える場合、ドアの一対の板材間に配設するのが困難になるおそれがある。
【００４９】
取付部２４は、裏面部２９の裏面側に配設されている。取付部２４の種類としては、裏面側の板材の内面にドア取り付け用花差し部材２１を貼り付け可能に構成される限り特に限定されず、例えば金属板、粘着テープ等が挙げられる。取付部２４が金属板である場合、例えば取付部２４の裏面にマグネットを貼り付け、さらにこのマグネットを裏面側の板材の内面に貼り付けることで板材に取り付け可能となる。
【００５０】
＜利点＞
当該ドア取り付け用花差し部材２１は、ドアの板材に形成される開口に嵌め込み可能な枠部２２と、枠部２２から差し込まれた花を支持する支持部２３とを有するので、図１の当該ドア取り付け用花差し部材１と同様、ドアの開閉の妨げとなり難く、破損のおそれが低いと共に、花を見栄えよく飾ることができる。
【００５１】
当該ドア取り付け用花差し部材２１は、裏面部２９の裏面側に配設される取付部２４によってドアの裏面側板材の内面に取り付けることができるので、例えば既存のドアの板材に開口を設けることで、このドアに容易に取り付けることができる。また、当該ドア取り付け用花差し部材２１は、支持部２３が底壁２７を有するので、支持部２３内に水を溜めることができ、花をより長く飾ることができる。
【００５２】
［第三実施形態］
＜ドア取り付け用花差し部材＞
図７のドア取り付け用花差し部材３１は、図１及び図５のドア取り付け用花差し部材１、２１に代えて、離間して対向する一対の板材を備えるドアの一方の板材に形成される開口に取り付けられる。ドア取り付け用花差し部材３１は、ドアの板材に形成される開口に嵌め込み可能な枠部３２と、枠部３２から差し込まれた花を支持する支持部３３とを有する。ドア取り付け用花差し部材３１は、枠部３２の上辺の裏面に板材の開口の上端部を係止させ、かつ枠部３２の下辺の裏面及び支持部３３間の空隙に板材の開口の下端部を嵌め込むことでドアの開口に取り付けられる。
【００５３】
枠部３２は、一定の厚みを有する平板状に形成され、内部に開口を有する。枠部３２の内縁及び外縁の形状及び長さとしては、図１のドア取り付け用花差し部材１と同様とされている。また、枠部３２の形成材料としては、図１のドア取り付け用花差し部材１の枠部２と同様とすることができる。
【００５４】
支持部３３は、筒状体である。また、支持部３３は、枠部３２から連続し、内方及び下方に伸びる。詳細には、支持部３３は、四角筒状の筒部３４と筒部３４の下端に連結される底壁３５とを有する有底筒状体として構成されている。また、筒部３４は、下方に傾斜している。
【００５５】
筒部３４の傾斜角の下限としては、６０°が好ましく、６５°がより好ましい。一方、筒部３４の傾斜角の上限としては、９０°が好ましく、８５°がより好ましい。筒部３４の傾斜角が上記下限未満の場合、筒部３４の表裏方向距離が長くなり過ぎて、一対の板材間に取り付けるのが困難になるおそれがある。逆に、筒部３４の傾斜角が上記上限を超える場合、花弁を表面側に向けて保つのが困難になるおそれがある。
【００５６】
＜利点＞
当該ドア取り付け用花差し部材３１は、ドアの板材に形成される開口に嵌め込み可能な枠部３２と、枠部３２から差し込まれた花を支持する支持部３３とを有するので、図１の当該ドア取り付け用花差し部材１と同様、ドアの開閉の妨げとなり難く、破損のおそれが低いと共に、花を見栄えよく飾ることができる。また、当該ドア取り付け用花差し部材３１は、支持部３３が底壁３５を有するので、支持部３３内に水を溜めることができ、花をより長く飾ることができる。
【００５７】
当該ドア取り付け用花差し部材３１は、支持部３３が筒状体であるので、花の挿入及び取り出し作業を容易かつ確実に行うことができる。また、当該ドア取り付け用花差し部材３１は、ドアの開閉時の揺れ等にかかわらず花を安定的に保持することができる。
【００５８】
当該ドア取り付け用花差し部材３１は、筒部３４が下方に傾斜しているので、支持部３３に挿入された花は花弁が表面に向けて保持されやすい。そのため、当該ドア取り付け用花差し部材３１は、花をより見栄えよく飾ることができる。
【００５９】
［第四実施形態］
＜ドア取り付け用花差し部材＞
図８及び図９の一対のドア取り付け用花差し部材４１、４２は、離間して対向する一対の板材を備えるドアの双方の板材に形成される一対の開口に取り付けられる。一方のドア取り付け用花差し部材４１は、ドアの一方の板材に形成される開口に嵌め込み可能な枠部４３と、枠部４３から差し込まれた花を支持する支持部４４とを有する。また、一方のドア取り付け用花差し部材４１は、ドアの一方の板材に取り付け可能な取付部４５を有する。なお、一方のドア取り付け用花差し部材４１の枠部４３としては、図１のドア取り付け用花差し部材１の枠部２と同様のものが用いられる。また、一方のドア取り付け用花差し部材４１の支持部４４としては、図１のドア取り付け用花差し部材１の支持部３と同様のものが用いられる。さらに、一方のドア取り付け用花差し部材４１の取付部４５としては、図１のドア取り付け用花差し部材１の取付部５と同様のものが用いられる。
【００６０】
他方のドア取り付け用花差し部材４２は、ドアの他方の板材に形成される開口に嵌め込み可能な枠部４６と、枠部４６から差し込まれた花を支持する支持部４７とを有する。また、他方のドア取り付け用花差し部材４２は、ドアの他方の板材に取り付け可能な取付部４８を有する。なお、他方のドア取り付け用花差し部材４２は、一方のドア取り付け用花差し部材４１と共通の裏面部４９を有し、この裏面部４９から裏面側に向けて枠部４６が配設されている。また、他方のドア取り付け用花差し部材４２の各部の構成は、一方のドア取り付け用花差し部材４１と同様とされている。
【００６１】
＜ドア＞
次に、図１０を参照して、図８の一対のドア取り付け用花差し部材４１、４２（以下、単に「一対の花差し部材４１、４２」ともいう。）を備えるドア５１について説明する。
【００６２】
ドア５１は、離間して対向する表裏一対の板材５２、５３を有するフラッシュドアとして構成されている。一対の板材５２、５３は、対向位置に各々同一形状の開口が形成されている。ドア５１は、一対の板材５２、５３間に水平方向に架け渡される横板材５４を有する。
【００６３】
ドア５１は、一対の板材５２、５３の開口に取り付けられる一対の花差し部材４１、４２を備える。一対の花差し部材４１、４２は、一方の花差し部材４１の枠部４３が一方の板材５２の開口に嵌め込まれ、他方の花差し部材４２の枠部４６が他方の板材５３の開口に嵌め込まれることで一対の板材５２、５３間に配設されている。詳細には、一対の花差し部材４１、４２は、一方の花差し部材４１の枠部４３と取付部４５の垂直部との間に一方の板材５２の開口の下端部を嵌め込み、他方の花差し部材４２の枠部４６と取付部４８の垂直部との間に他方の板材５３の開口の下端部を嵌め込み、さらに一対の枠部４３、４６の上辺間に一対の板材５２、５３の開口の上端部を嵌め込むことで一対の板材５２、５３に固定される。ドア５１は、このように一対の板材５２、５３の対向する一対の開口に一対の花差し部材４１、４２が取り付けられているので、一対の開口は平面視で一対の花差し部材４１、４２、より具体的には一対の花差し部材４１、４２の一対の内壁、で遮蔽される。なお、一対の花差し部材４１、４２は、裏面部４９及び傾斜部、又は裏面部４９の表裏側が着脱可能とされ、一方の花差し部材４１の枠部４３を一方の板材５２の開口に嵌め込んだうえ、他方の花差し部材４２の枠部４６を他方の板材５３の開口に嵌め込むと共に、一対の花差し部材４１、４２を一対の板材５２、５３の内側で連結してもよい。
【００６４】
＜利点＞
当該ドア５１は、一対の板材５２、５３の双方に一対の開口が形成され、これら一対の開口に一対の花差し部材４１、４２が取り付けられているので、図３のドア１１と同様、開閉作業をスムーズに行うことができ、破損のおそれが低いと共に、両面側に花を見栄えよく飾ることができる。
【００６５】
当該ドア５１は、一対の開口が平面視で一対の花差し部材４１、４２によって遮蔽されているので、表裏を的確に遮蔽しつつ表裏面の対応する位置に花を見栄えよく飾ることができる。
【００６６】
［その他の実施形態］
なお、本発明に係るドア及びドア取り付け用花差し部材は、上記態様の他、種々の変更、改変を施した態様で実施することができる。例えば上記支持部が底壁を有するか否かは具体的構成に即して変更可能である。また、上記支持部が内壁を有する場合、この内壁が傾斜部を有するか否かは具体的構成に即して変更可能である。また、上記内壁が傾斜部を有する場合、この内壁は傾斜部のみから構成されていてもよい。さらに、上記傾斜部は、湾曲していてもよい。加えて、上記内壁は、必ずしも平板状に形成される必要はなく、湾曲して形成されていてもよく、例えば水平方向に湾曲して側壁と一体的に構成されてもよい。上記取付部の構成は特に限定されるものではなく、各実施形態の構成を適宜採用可能である。また、上記取付部自体を有さず、例えば上記裏面部を接着剤等によって他方の板材の内面に貼り付けてもよい。
【００６７】
また、上記支持部が筒状体である場合、この筒状体は必ずしも四角筒状である必要はなく、例えば枠部の形状に合わせて円筒状、楕円筒状等とすることができる。また、上記筒状体は枠部側から他端側にかけて下方に湾曲していてもよい。
【産業上の利用可能性】
【００６８】
以上のように、本発明に係るドア及びドア取り付け用花差し部材は、ドアの開閉をスムーズに行うことができ、破損のおそれが低いと共に、花を見栄えよく飾ることができるので、住宅やオフィス等のインテリア性が向上されたドアに適している。
【符号の説明】
【００６９】
１、２１、３１、４１、４２  ドア取り付け用花差し部材
２、２２、３２、４３、４６  枠部
３、２３、３３、４４、４７  支持部
４、５、２４、４５、４８  取付部
６、２５  内壁
７、２６  側壁
８  傾斜部
９、２９、４９  裏面部
１１、５１  ドア
１２、１３、５２、５３  板材
１４、５４  横板材
２７、３５  底壁
２８  上面部
３４  筒部
【要約】
【課題】ドアの開閉の妨げとなり難く、破損のおそれが低いと共に、花を見栄えよく飾ることができるドア取り付け用花差し部材を備えるドアの提供を目的とする。
【解決手段】本発明のドアは、離間して対向する表裏一対の板材を備えるドアであって、少なくとも一方の上記板材に開口が形成され、上記板材の開口に取り付けられる花差し部材をさらに備え、この花差し部材が、上記開口に嵌め込まれる枠部と、一対の板材間に配設されると共に枠部から差し込まれた花を支持する支持部とを有することを特徴とする。上記支持部が、上記枠部から連続し、内方及び下方に伸びるとよい。上記支持部が、少なくとも上記枠部の上辺から延出する内壁を有するとよい。上記内壁が、下方に傾斜する傾斜部を有するとよい。上記支持部が、筒状体であるとよい。上記一対の板材の双方に一対の上記開口が形成され、これら一対の開口に一対の上記花差し部材が取り付けられているとよい。
【選択図】図１【図１】
0005764830.tif 000002
【図２】
0005764830.tif 000003
【図３】
0005764830.tif 000004
【図４】
0005764830.tif 000005
【図５】
0005764830.tif 000006
【図６】
0005764830.tif 000007
【図７】
0005764830.tif 000008
【図８】
0005764830.tif 000009
【図９】
0005764830.tif 000010
【図１０】
0005764830.tif 000011